(57)【特許請求の範囲】
【請求項１】
演算機能またはネットワーク接続機能を有するオーディオビデオ機器向けの無停電システムであって、
交流電源に接続される交流／直流電圧コンバータと、
前記交流／直流電圧コンバータに接続される直流／交流電圧コンバータと、
前記交流／直流電圧コンバータと前記直流／交流電圧コンバータとの間に接続される電池と、
前記直流／交流電圧コンバータの出力端と、前記オーディオビデオ機器とにそれぞれ接続され、前記オーディオビデオ機器に電源を供給するための電源出力ポートと、
前記電源出力ポートと前記直流／交流電圧コンバータとの間に接続される電流検出ユニットと、
前記交流／直流電圧コンバータと、前記直流／交流電圧コンバータと、前記電流検出ユニットと、にそれぞれ接続され、前記オーディオビデオ機器の電源を、切断してもよい状態になってから切断させるシャットダウン指令コードが保存された制御ユニットと、
前記制御ユニットに接続され、当該無停電システムに内蔵された無線送受信モジュールとを備え、
前記制御ユニットは、前記電流検出ユニットによってオーディオビデオ機器の出力負荷電流を検出し、前記交流電源が停電になった際、前記制御ユニットが前記オーディオビデオ機器の電源がオン状態である、且つ前記電池状態が設定値に達していると検出した際、前記制御ユニットが無線送受信モジュールによって前記シャットダウン指令コードを発信する無停電システム。
【請求項２】
前記シャットダウン指令コードは、前記制御ユニットに予め保存される、又は手動入力の方式によって前記制御ユニットに保存され、前記電池状態の設定値が電圧値、又は電力供給時間である請求項１に記載の無停電システム。
【請求項３】
前記シャットダウン指令コードは、前記無線送受信モジュールによってリモコンから取得後、前記制御ユニットに保存され、前記電池状態の設定値が電圧値又は電力供給時間である請求項１に記載の無停電システム。
【請求項４】
前記無停電システムは、複数のオーディオビデオ機器を接続する複数の電源出力ポートを有し、前記複数のオーディオビデオ機器を制御する複数の前記シャットダウン指令コードが保存された前記制御ユニットである請求項１に記載の無停電システム。
【発明の詳細な説明】
【技術分野】
【０００１】
本発明は無停電システム(Ｕｎｉｎｔｅｒｒｕｐｔｉｂｌｅ  Ｐｏｗｅｒ  Ｓｕｐｐｌｙ  ｓｙｓｔｅｍ)に関し、特にオーディオビデオ(ａｕｄｉｏ  ｖｉｓｕａｌ、ＡＶ)機器向けの無停電システム及びその電源管理方法に関する。
【背景技術】
【０００２】
無停電システム（略してＵＰＳ）は、主にオンライン無停電システム(ｏｎ−ｌｉｎｅ  ＵＰＳ)、オフライン無停電システム(ｏｆｆ−ｌｉｎｅ  ＵＰＳ)及びラインインタラクティブ無停電システム(Ｌｉｎｅ−ｉｎｔｅｒａcｔｉｖｅ  ＵＰＳ)に分けられる。
【０００３】
現在、ますます多くのオーディオビデオ機器に複雑な演算機能やネット機能が搭載されており、これらの機器は、無停電システムの安定した電力供給により維持されている。
【０００４】
しかしながら、無停電システムの電力供給時間は限られたものであり、これらのオーディオビデオ機器は、無停電システムの電力供給中にシャットダウンできない場合、機器に損害を受ける恐れがある。
【先行技術文献】
【特許文献】
【０００５】
【特許文献１】特開２００４−３５７４５３号公報
【発明の概要】
【発明が解決しようとする課題】
【０００６】
本発明は、上述の問題に鑑みてなされたものであり、オーディオビデオ機器向けの無停電システム及びその電源管理方法を提供することを目的とする。
【課題を解決するための手段】
【０００７】
オーディオビデオ機器向けの無停電システムであって、交流電源に接続される交流／直流電圧コンバータと、前記交流／直流電圧コンバータに接続される直流／交流電圧コンバータと、前記交流／直流電圧コンバータと前記直流／交流電圧コンバータとの間に接続される電池と、前記直流／交流電圧コンバータの出力端と、前記オーディオビデオ機器とにそれぞれ接続され、前記オーディオビデオ機器に電源を供給するための電源出力ポートと、前記電源出力ポートと前記直流／交流電圧コンバータとの間に接続される電流検出ユニットと、前記交流／直流電圧コンバータと、前記直流／交流電圧コンバータと、前記電流検出ユニットと、にそれぞれ接続され、前記オーディオビデオ機器を制御する指令コードが保存された制御ユニットと、前記制御ユニットに接続される無線送受信モジュールとを備え、前記制御ユニットは、前記電流検出ユニットによってオーディオ機器の出力負荷電流を検出し、前記交流電源が停電になった際、前記オーディオビデオ機器の電源がオン状態であるとと共に、前記電池状態が設定値である場合、制御ユニットが無線送受信モジュールによって指令コードを発信する無停電システム。
【発明の効果】
【０００８】
本発明にあっては下記の効果が得られる。
【０００９】
（１）無停電システムがオーディオビデオ機器の電源状態を検出し、オーディオビデオ機器の電源がオン、且つ無停電システムの電池状態が設定値に達しているとき、無停電システムは、第２の指令コードを発信し、オーディオビデオ機器が電池を使い切る前に、安全にシャットダウンプログラムを完成させる。
【００１０】
（２）無停電システムが商用電源の回復を検出した際、再び第２の指令コードを発し、オーディオビデオ機器を再起動させると共に、オーディオビデオ機器に電力を供給し続ける。
【００１１】
（３）本発明の無停電システムは、いかなるタイプのリモコンであっても適用することができ、リモコンから発信された指令コードにより、無停電システムを起動させる。
【００１２】
（４）本発明の無停電システムの電源管理方法は、オーディオビデオ機器が起動している状況下において、リモコンの指令コードにより無停電システムがシャットダウンすることを防止する。
【図面の簡単な説明】
【００１３】
【図１】本発明の第１の実施例によるオーディオビデオ機器向けの無停電システムの機能ブロック図である。
【図２】本発明の第２の実施例によるオーディオビデオ機器向けの無停電システムのブロック図である。
【図３】本発明の第３の実施例によるオーディオビデオ機器向けの無停電システムの機能ブロック図である。
【図４】本発明の第４の実施例による電源管理方法のフローチャートである。
【図５】本発明の第４の実施例による電源管理方法のフローチャートである。
【図６】本発明の第４の実施例による電源管理方法のフローチャートである。
【図７】本発明の第５の実施例による電源管理方法のフローチャートである。
【発明を実施するための形態】
【００１４】
以下、本発明の実施の形態を図面を参照しながら説明する。
（実施例１）
図１は、本発明の第１の実施例にかかるオーディオビデオ機器向けの無停電システムの機能ブロック図である。
【００１５】
本実施例における無停電システム１１０は、電源管理ユニット１２０、無線送受信モジュール１１４及び電流検出ユニット１１２から成り、オーディオビデオ機器１３０と交流電源(ＡＣ  ＩＮ)との間に設けられる。
【００１６】
電源管理ユニット１２０は、交流／直流電圧コンバータ１２２、直流／交流電圧コンバータ１２４、電池１２６、制御ユニット１２８及びスイッチ１２９から成り、電流検出ユニット１１２と無線送受信モジュール１１４との間に接続され、交流電源(ＡＣ  ＩＮ)の入力を受ける。
電池１２６は、交流／直流電圧コンバータ１２２と直流／交流電圧コンバータ１２４との間に接続される。
【００１７】
スイッチ１２９は、直流／交流電圧コンバータ１２４の出力側と、交流電源(ＡＣ  ＩＮ)と、電流検出ユニット１１２にそれぞれ接続され、制御ユニット１２８の制御により電力供給モードの切替を行う。
【００１８】
制御ユニット１２８は、交流／直流電圧コンバータ１２２、直流／交流電圧コンバータ１２４、スイッチ１２９、電流検出ユニット１１２及び無線送受信モジュール１１４にそれぞれ接続される。
【００１９】
交流／直流電圧コンバータ１２２は、交流電源(ＡＣ  ＩＮ)を直流電源に変換し、電池１２６を充電する。また、変換後の直流電源は、直流／交流電圧コンバータ１２４によって交流電源に再変換され、電源出力ポート１２７を介してオーディオビデオ機器１３０に電力供給される。
【００２０】
直流／交流電圧コンバータ１２４と電源出力ポート１２７との間には、電流検出ユニット１１２及びスイッチ１２９が設けられる。スイッチ１２９は、例えば３端子スイッチ素子又はマルチプレクサであり、制御ユニット１２８の制御により、電力供給経路を切り替えることに用いられる。すなわち、無停電システム１１０の出力電源を交流電源(ＡＣ  ＩＮ)から入力された電源とするか、もしくは、電池１２６に充電された電源から供給するかを選択的に切り替える。
【００２１】
電流検出ユニット１１２は、無停電システム１１０が出力した負荷電流（オーディオビデオ機器１３０が消費する電流）を検出することに用いられる。つまり、電源管理ユニット１２０が検出した負荷電流によって無停電システム１１０に接続されたオーディオビデオ機器１３０の電源がオンであるかどうかを判断する。具体的に説明すると、無停電システム１１０が出力した負荷電流が既定値より大きい時に、オーディオビデオ機器１３０が電源オンの状態であると判断し、負荷電流がゼロ又は既定値より小さい時に、オーディオビデオ機器１３０の電源がシャットダウン状態であると判断する。
【００２２】
無線送受信モジュール１１４は、例えば赤外線送受信モジュール、ＲＦモジュール、ＲＦ４ＣＥモジュール、Ｂｌｕｅｔｏｏｔhモジュール等であり、リモコン１４０から発信された制御信号を受信すると、制御信号を発信してオーディオビデオ機器１３０を遠隔制御することに用いる。
【００２３】
本実施例における無停電システム１１０には、無停電システム１１０の起動及びシャットダウンを制御する第１の指令コード及びオーディオビデオ機器１３０のシャットダウンを制御する第２の指令コードが保存されている。
【００２４】
第１、第２の指令コードは、出荷前にあらかじめ定義したものを制御ユニット１２８に保存しておいてもよいが、ユーザーが手動入力の方式によって制御ユニット１２８に保存する、もしくは、ユーザーがリモコン１４０を操作して、無線送受信モジュール１１４を介して制御ユニット１２８に保存してもよい。
また、ユーザーは、リモコン１４０を操作し、第１の指令コードによって無停電システム１１０を起動またはシャットダウンさせることができる。
無停電システム１１０が起動した際、オーディオビデオ機器１３０に電力が供給される。
【００２５】
交流電源(ＡＣ  ＩＮ)が停電になった時、無停電システム１１０は、オーディオビデオ機器１３０の電源状態を検知し、オーディオビデオ機器１３０が電源オンの状態であると共に電池１２６の状態が設定値である時、無線送受信モジュール１１４によって第２の指令コードを発信し、オーディオビデオ機器１３０にシャットダウンプログラムを実行させる。
【００２６】
この時、無停電システム１１０がまだシャットダウン状態にならないため、オーディオビデオ機器１３０は、電池１２６を使い切る前に、安全にシャットダウンプログラムを完成させることができる。
【００２７】
また、制御ユニット１２８によって電池１２６の状態を検出し、電池１２６の電圧が既定値より小さい、又は電池１２６の電力供給時間が設定値である時に、制御ユニット１２８は、無線送受信モジュール１１４によって第２の指令コードを発信し、電流検出ユニット１１２によってオーディオビデオ機器１３０がすでにシャットダウン状態になったと検出された時、無停電システム１１０は、シャットダウンする。
制御ユニット１２８は、例えば資料保存機能を持つマイクロプロセッサでよい。また、前記機能は、ファームウェア方式によって実現できるが、これに限られない。
【００２８】
（実施例２）
図２は、本発明第２の実施例にかかるオーディオビデオ機器向きの無停電システムのブロック図である。
無停電システム１１０は、複数の電源出力ポート１２７を有し、それぞれ複数のオーディオビデオ機器１３０〜１３９に電力供給する。
【００２９】
電源検出ユニット１１２は、無停電システム１１０が出力した負荷電流を検出し、電源管理ユニット１２０が検出した負荷電流によって無停電システム１１０に接続される複数のオーディオビデオ機器１３０〜１３９の電源がオンであるかどうかをそれぞれ判断する。
【００３０】
無停電システム１１０には、無停電システム１１０の起動及シャットダウンを制御する第１の指令コード及び複数のオーディオビデオ機器１３０〜１３９のシャットダウンをそれぞれ制御する複数の第２の指令コードが保存されている。
【００３１】
第１の指令コード及び複数の第２の指令コードは、出荷前にあらかじめ定義したものを制御ユニット１２８に保存しておいてもよいが、ユーザーが手動入力の方式によって制御ユニット１２８に保存する、もしくは、ユーザーがリモコン１４０〜１４９のいずれかを操作して、無線送受信モジュール１１４を介して制御ユニット１２８に保存してもよい。
【００３２】
また、ユーザーは複数のリモコン１４０〜１４９のいずれかを操作し、第１の指令コードによって無停電システム１１０を起動またはシャットダウンさせることができる。
【００３３】
無停電システム１１０は、複数のオーディオビデオ機器１３０〜１３９が電源オンの状態であると共に電池１２６が低電力の状態である時、無線送受信モジュール１１４によって複数の第２の指令コードを発信し、複数のオーディオビデオ機器１３０〜１３９に一つずつシャットダウンプログラムを実行させる。
【００３４】
この時、無停電システム１１０がまだシャットダウンにならないため、複数のオーディオビデオ機器１３０〜１３９が電池１２６を使い切る前に、安全にシャットダウンプログラムを完成させる。
【００３５】
また、本実施例に於いて複数の電流検出ユニット１１２を設けてもよい。例えば、複数の電源出力ポート１２７の先端にそれぞれ電流検出ユニット１１２を設け、各電流検出ユニット１１２が検出した負荷電流によって対応するオーディオビデオ機器１３０〜１３９の電源がオンであるかどうかをそれぞれ判断する。この際、電流検出ユニット１１２のいずれかが、対応するオーディオビデオ機器１３０が電源オンの状態であることを検出し、且つ電池１２６が低電力の状態である時に、無線送受信モジュール１１４によって対応するオーディオビデオ機器１３０に第２の指令コードを発信し、シャットダウンプログラムを実行させる。
【００３６】
具体例を挙げて説明すると、電源検出ユニット１１２が対応するオーディオビデオ機器１３０、１３１、１３９の電源状態がオンであることを検出し、且つ電池１２６が低電力の状態である時、無停電システム１１０は、直ちに無線送受信モジュール１１４によってこれらオーディオビデオ機器１３０、１３１、１３９に対して第２の指令コードを発信し、オーディオビデオ機器１３０、１３１、１３９にシャットダウンプログラムを実行させる。
【００３７】
（実施例３）
本発明における電源管理ユニットの構造は、図１に限られず、電源管理ユニット１２０がオンライン無停電システム、又はラインインタラクティブ無停電システムなどの構造であってもよい。
図３は、本発明の第３の実施例にかかるオーディオビデオ機器向きの無停電システムの機能ブロック図である。
【００３８】
電源管理ユニット３２０の交流電源(ＡＣ  ＩＮ)にスイッチ１２９が接続されていないため、無停電システム３１０の出力電源は、いずれも交流／直流電圧コンバータ１２２及び直流／交流電圧コンバータ１２４による安定的な出力電源である。
【００３９】
（実施例４）
図４〜図６は、本発明にかかる第１の電源管理方法のフローチャートである。
図１及び図４を参照しながら説明すると、まずステップＳ４２０では、無停電システム１１０が手動方式、又はリモコン１４０から発信される第１の指令コードによって起動される。
続いてステップＳ４２１では、無停電システム１１０により商用電源がオーディオビデオ機器１３０に供給される。
【００４０】
続いてステップＳ４２２では、制御ユニット１２８によって商用電源が停電であるかどうかが判断され、商用電源が停電になるまでステップＳ４２１が繰り返され、商用電源がオーディオビデオ機器１３０に供給される。
商用電源が停電になるとステップＳ４３０が実行され、電池１２６に充電された電力を交流電流に変換してオーディオビデオ機器１３０に供給する。
【００４１】
続いてステップＳ４４０において、電源検出ユニット１１２によって負荷があるかどうかが検出される。つまり、オーディオビデオ機器１３０の電源がオンであるかどうかを判断する。
【００４２】
上記テップＳ４４０において負荷がないと判断された場合（オーディオビデオ機器１３０がシャットダウン状態の場合）、ステップＳ４９０を実行し、無停電システム１１０を自動的にシャットダウンさせる。
上記テップＳ４４０において負荷があると判断された場合、ステップＳ４５０を実行する。
【００４３】
ステップＳ４５０では、制御ユニット１２８によって電池１２６が設定値(例えば、電池１２６の電圧が既定値より小さい、又は電池１２６の電力供給時間が設定値に達した)であるかどうかを判断し、電池１２６がまだ設定値に達していない場合、ステップＳ４３０を繰り返し、電池１２６に充電された電力を交流電源に変換ししてオーディオビデオ機器１３０に供給する。電池１２６がすでに設定値に達した場合、ステップＳ４６１を実行する。
【００４４】
ステップＳ４６１では、制御ユニット１２８が無線送受信モジュール１１４によって一回目の第２の指令コードを発信し、オーディオビデオ機器１３０をシャットダウンさせると共に、ステップＳ４３０を繰り返し、電池１２６に充電された電力を交流電源に変換してオーディオビデオ機器１３０に供給する。
【００４５】
図１及び図５を参照しながら説明する。ステップＳ４９０の前に、ステップＳ４９２を更に含み、これにより、ステップＳ４４０で負荷がないと判断した時に、Ｔ秒間待った後にステップＳ４９０を実行させる。また、ステップＳ４９２において制御ユニット１２８は、Ｔ秒間に第２の指令コードが発信された回数、電力使用データ、商用電源の停電時間、又は電池１２６の状態を記録することができる。
【００４６】
図１及び図６を参照しながら説明する。ステップＳ４３０とステップＳ４４０との間に、ステップＳ４３１を更に含む。ステップＳ４３１では、商用電源が回復しているかどうかを判断し、商用電源が回復していないと判断された場合、ステップＳ４４０を実行する。
【００４７】
ステップＳ４３１において商用電源がすでに回復したと判断された場合、既にステップＳ４６０にて第２の指令コードが発信されたかどうかを判断し、未だ第２の指令コードが発信されていない場合（オーディオビデオ機器１３０がまだシャットダウンされていない状態）、ステップＳ４２１を続けて、商用電源をオーディオビデオ機器１３０に供給し、既に第２の指令コードが発信された場合（オーディオビデオ機器１３０がすでにシャットダウンされた状態）、ステップＳ４６２を実行し、制御ユニット１２８が無線送受信モジュール１１４によって二回目の第２の指令コードを発信し、オーディオビデオ機器１３０を再起動させると共にステップＳ４２１を実行し、商用電源をオーディオビデオ機器１３０に供給する。
【００４８】
また、本実施例は、いかなるタイプのリモコンにも適しており、例えば、ステップＳ４２０において、リモコンから発信された指令コードにより、無停電システム１１０を起動することができる。
【００４９】
（実施例５）
図７は、本発明にかかる第２の電源管理方法のフローチャートである。
図１及び図７を参照しながら説明すると、リモコン１４０は、オーディオビデオ機器１３０が起動している状況で無停電システム１１０をシャットダウンすることを防止できる。
まずステップＳ４１０においてリモコン１４０が一回目の第１の指令コードを発信する。
続いてステップＳ４２０において、無停電システム１１０が一回目の第１の指令コードによって起動する。
【００５０】
その後、ステップＳ４８０において、リモコン１４０が二回目の第１の指令コードを発信する。この時、無停電システム１１０は、二回目の第１の指令コードによって直ちにシャットダウンされることは無く、ステップＳ４４１を実行して電源検出ユニット１１２により負荷があるかどうかを検出する。つまりオーディオビデオ機器１３０の電源がオンであるかどうかを判断し、負荷がない場合、ステップＳ４９０を実行して、無停電システム１１０を自動的にシャットダウンさせ、負荷がある場合、ステップＳ４６３を実行して制御ユニット１２８が無線送受信モジュール１１４によって第２の指令コードを発信し、先にオーディオビデオ機器１３０をシャットダウンさせ、続いてステップＳ４７０において、オーディオビデオ機器１３０のシャットダウンが完了するまでステップＳ４４２を実行し続ける。電源検出ユニット１１２が負荷がないと判断した際、ステップＳ４９０を実行し無停電システム１１０を自動的にシャットダウンする。
【符号の説明】
【００５１】
１１０              無停電システム
１１２              電流検出ユニット
１１４              無線送受信モジュール
１２０              電源管理ユニット
１２２              交流／直流電圧コンバータ
１２４              直流／交流電圧コンバータ
１２６              電池
１２７              電源出力ポート
１２８              制御ユニット
１２９              スイッチ
１３０〜１３９      オーディオビデオ機器
１４０〜１４９      リモコン
３１０              無停電システム
３２０              電源管理ユニット
ＡＣ  ＩＮ          交流電源
Ｓ４１０〜Ｓ４９０  ステップ
【図１】
0005477967.tif 000002
【図２】
0005477967.tif 000003
【図３】
0005477967.tif 000004
【図４】
0005477967.tif 000005
【図５】
0005477967.tif 000006
【図６】
0005477967.tif 000007
【図７】
0005477967.tif 000008